(57)【要約】      （修正有）【課題】三次元画像表示装置における振動低減、騒音抑制を実現する三次元画像表示装置用カバーを提供する。【解決手段】発光素子を有する発光素子アレイ群１６と、発光素子アレイ群１６が立設配置される回転自在な支持体１４と、支持体１４の回転に応じて所定の位置で発光素子を明滅させるための画像データを供給する手段とを備える三次元画像表示装置１０用のカバーであって、第１カバー１００は、支持体１４の回転に同期して回転する。第２カバー２００は、第１カバー１００の外周に設けられ、回転方向の動きについては、少なくとも第１カバー１００及び支持体１４の回転に影響されないように設置される。【選択図】図１
0003112710.tif 000002
【実用新案登録請求の範囲】
【請求項１】
発光素子を有する表示部と、前記表示部が立設配置される回転自在な支持部材と、前記支持部材の回転に応じて所定の位置で前記発光素子を明滅させるための画像データを供給する手段とを備える三次元画像表示装置用のカバーであって、
前記支持部材の回転に同期して回転する第１カバーと、
前記第１カバーの外周に設けられ、回転方向の動きについては、少なくとも前記第１カバー及び前記支持部材の回転に影響されないように設置される第２カバーと、
を備えることを特徴とする三次元画像表示装置用カバー。
【請求項２】
基台部と、発光素子を有する表示部と、前記表示部が立設配置され前記基台部に回転自在に設置される支持部材と、前記支持部材の回転に応じて所定の位置で発光素子を明滅させるための画像データを供給する手段とを備える三次元画像表示装置用のカバーであって、
前記支持部材の回転に同期して回転するよう位置決めされた第１カバーと、
前記第１カバーの外周に設けられ、前記基台に固定された第２カバーと、
を備えることを特徴とする三次元画像表示装置用カバー。
【請求項３】
前記第１カバーは前記支持部材の回転軸を軸とする回転体であることを特徴とする請求項１または２のいずれかに記載の三次元画像表示装置用カバー。
【請求項４】
前記第２カバーは、少なくとも、想定される視点から前記支持部材の回転軸を垂直にのぞき込むベクトルに直交し、前記回転軸を含む平面よりも視点から見て背後の側に存在する面の一部に着色がなされていることを特徴とする請求項１から３のいずれかに記載の三次元画像表示装置用カバー。
【考案の詳細な説明】
【技術分野】
【０００１】
この考案は、画像表示装置用カバーに関し、特に三次元画像表示装置用のカバーに関する。
【背景技術】
【０００２】
近年、立体画像を表示する多数の技術が提示されており、ホログラフィを用いるものや、人間の両目の視差を利用するものなど様々な技術が提案されている。このような立体画像表示技術は、広告等を表示するディスプレイ装置としての利用など、多様な用途に用いられうる。立体画像表示用のディスプレイ装置には、本出願人が提案する、回転自在な支持部材に発光素子アレイを配置し、所定のタイミングで発光素子アレイ上の発光素子を明滅させることで、三次元画像を観察可能にしたものなどがある（例えば、特許文献１参照）。
【特許文献１】特開２００４−４０６６７号公報  この装置は、支持部材の動作に回転運動を採用し、振動の低減を実現している。一方、装置自体の保護及び高速回転中に人間の手等が装置に接触しないための配慮から、実用化に当たっては装置を覆うカバーの設置が望ましい。この際、発光素子アレイによるカバー内の空気の攪拌抵抗等を低減できれば、装置全体としてより一層の振動の抑制、騒音の低減につながる。
【考案の開示】
【考案が解決しようとする課題】
【０００３】
本考案者は以上の課題に基づき本考案をなしたもので、その目的は、三次元画像表示装置における振動低減、騒音抑制を実現する三次元画像表示装置用カバーを提供することにある。
【課題を解決するための手段】
【０００４】
本考案のある態様の三次元画像表示装置用カバーは、発光素子を有する表示部と、表示部が立設配置される回転自在な支持部材と、支持部材の回転に応じて所定の位置で発光素子を明滅させるための画像データを供給する手段とを備える三次元画像表示装置用のカバーであって、支持部材の回転に同期して回転する第１カバーと、第１カバーの外周に設けられ、回転方向の動きについては、少なくとも第１カバー及び支持部材の回転に影響されないように設置される第２カバーとからなることを特徴とする。
【０００５】
発光素子は例えば発光ダイオードであってよい。三次元画像表示装置とは、例えば複数の発光素子アレイを円盤状の支持部材に立設し、支持部材を高速で回転させ、画像データにしたがって、発光素子を明滅させることにより、所期の立体画像表示を得るものであって良い。
【０００６】
本態様の三次元画像表示装置用カバーによれば、第１カバー、支持部材、表示部が一体となって回転するため、第１カバー内では、表示部に対する空気抵抗が生じない。この構成であれば、第１カバー外の空気と第１カバーの摩擦抵抗のみが生じ、装置全体として回転運動に伴う空気抵抗を大幅に低減できる。その結果、表示部に働く力は専ら遠心力のみとなり、表示部の振動が抑制できるため、騒音の低減や装置寿命の延長という効果が得られる。また、表示部が発する風切り音も抑制できる。
【０００７】
本態様の三次元画像表示装置用カバーによれば、以上述べたような第１カバーに関する効果を奏しつつ、第２カバーがさらに設けられているため回転運動体に人間の手等が接触するおそれがない。
【０００８】
本考案の別の態様の三次元画像表示装置用カバーは、基台部と、発光素子を有する表示部と、表示部が立設配置され基台部に回転自在に設置される支持部材と、支持部材の回転に応じて所定の位置で発光素子を明滅させるための画像データを供給する手段とを備える三次元画像表示装置用のカバーであって、支持部材の回転に同期して回転するよう位置決めされた第１カバーと、第１カバーの外周に設けられ、前記基台に固定された第２カバーとからなることを特徴とする。前述の態様のカバー同様、振動低減や騒音防止の効果が得られる。
【０００９】
上記の各態様の三次元画像表示装置用カバーにおいて、第１カバーは、支持部材の回転軸を軸とする回転体であってよく、例えば円筒形状や円錐形状であってもよい。第１カバーが円柱形状であれば、第１カバーに生じる空気抵抗を低減する効果が高く、装置全体として一層の振動等の抑制につながる。
【００１０】
上記の各態様の三次元画像表示装置用カバーにおいて、第２カバーは、少なくとも、想定される視点から支持部材を回転軸を垂直にのぞき込むベクトルに直交し、回転軸を含む平面よりも視点から見て背後の側に存在する面の一部に着色がなされていてもよい。別の言い方をすれば、着色されるのは、視点位置から引いた回転軸と直交する直線を法線とする平面を境に、視点位置とは反対側に位置する第２カバーの面の少なくとも一部であってよい。例えばユーザの視点位置からみて、装置の背面に当たる箇所において第２カバーを着色することで、背景を描くことが可能となる。また、装置の向こう側が透けて見えるのを防止し、表示される立体オブジェクトをより鮮明に表示する効果が期待できる。
【００１１】
以上の各構成を任意に入れ替えたり、表現を変更したものもまた、本考案として有効である。
【考案を実施するための最良の形態】
【００１２】
図１は、本考案の一実施形態である三次元画像表示装置用カバーを備える三次元画像表示装置１０の外観を示す図である。三次元画像表示装置１０は、ベース１２と、ベース１２に回動可能に軸着された円盤状の回転支持体１４と、回転支持体１４に立設され、複数個の発光ダイオードを備える発光素子アレイ群１６と、第１カバー１００と第２カバー２００とを備える。
【００１３】
ベース１２内部には、各アレイの位置を検出してデジタルデータに変換するロータリエンコーダ（不図示）や各アレイの発光素子を明滅させるタイミングを記録した画像データメモリ（不図示）などが設けられる。さらに、モータ、ギア、軸等回転支持体１４を回転させるための機構（いずれも不図示）もベース１２内部に設けられている。
【００１４】
以上の構造を備える三次元画像表示装置１０は、前述の特開２００４−４０６６７号公報で開示される三次元画像表示装置でよい。この装置１０は、回転支持体１４を、例えば５４０ｒｐｍの速度で回転させつつ、発光素子アレイ群１６上の発光ダイオードを画像データメモリに保持された画像データに基づいて所定のタイミングで明滅させることで、三次元画像を形成し、これを観察可能にした装置である。
【００１５】
第１カバー１００は、例えばアクリル樹脂やガラス等透明性のある素材で形成されている。第１カバー１００は回転支持体１４に接着されており、それにより第１カバー１００内の空間は密封状態となっている。また、第１カバー１００が回転支持体１４と接着されているため、第１カバー１００も回転支持体１４と一体となって回転する。
【００１６】
第２カバー２００も、アクリル樹脂等の透明素材で形成されている。第２カバー２００は、ベース１２に固定されている。すなわち、回転支持体１４および第１カバー１００は、第２カバー２００とは独立して回転するのであって、三次元画像表示装置１０を作動させても第２カバー２００は特段運動することはない。
【００１７】
以上の構成を備える画像表示装置用カバーでは、第１カバー１００内が密封されており、第１カバー１００、回転支持体１４、発光素子アレイ群１６が一体となって回転する。したがって、第１カバー１００内の空間では、空気の流れが発生しない。すなわち、発光素子アレイ群１６には空気抵抗力が及ばない。この第１カバー１００がない状態で回転支持体１４を回転させれば、前述のごとく５４０ｒｐｍという、比較的高速な回転運動をしているため、ある程度の空気抵抗が発光素子アレイ群１６にかかるため、発光素子アレイ群１６が振動したり風きり音を発生したりする可能性がある。
【００１８】
しかし、第１カバー１００を設けたため、発生するのは第１カバー１００が回転運動することによる、第１カバー１００への空気抵抗のみとなる。これにより、振動や風きり音を抑制できる。振動の低減により、騒音抑制だけでなく装置寿命の延長という効果も期待できる。一方第２カバー２００は、高速回転をする回転支持体１４や第１カバー１００を覆い、装置自体およびそれに接触する可能性のある物体を保護する役割を果たす。この三次元画像表示装置を例えば屋外広告ディスプレイとして、風雨にさらされかつ人通りのおおい場所等に設置する場合に特に重要となる構成である。
【００１９】
なお、本実施の形態では、第１カバー１００は、ベース１２に固定して配置されたが、配置場所はこれに限る必要はない。例えば、三次元画像表示装置１０が設置される場所の地面等に固定されても良い。別の例では、三次元画像表示装置が建築物の柱の周囲に設置されるタイプのものである場合、第１カバー１００はその柱に固定されてもよい。
【００２０】
さらに、本実施の形態では第１カバー１００は、空気抵抗を低減すべく円柱形状を採っている。第１カバーを、このような回転体とすることで第１カバーが回転する際の空気との摩擦抵抗を低減する効果が高いためである。別の例では第１カバーの形状は、半球や円錐であってもよい。なお、第１カバー１００の形状は必ずしも回転体に限られず、直方体状等にすることで、外部から観察したときデザイン上のバリエーションが得られる。第１カバー１００の形状がいかなるものでも、発光素子アレイ群１６の空気抵抗をなくす効果は得られる。
【００２１】
また、第２カバー２００は、その一部、例えばその側面の半分が着色等されていてもよい。想定されるユーザの視点に対して、三次元画像表示の背面側に当たる側面において、第２カバー２００に、表示される立体オブジェクトに関連する背景などを描くことで、より有意な視覚上の効果が期待できる。例えば、表示オブジェクトが船であるような場合に、第２カバー２００に海の背景を描くことなどが考えられる。また、着色を施すことにより、装置の向こう側が透けて見えるのが防止され、装置で表示するオブジェクトが、装置の背後の景色、物体と不要な混同を起こすのを防ぐことができ、より視覚上の効果を高めることができる。
【図面の簡単な説明】
【００２２】
【図１】本考案明の一実施形態に係る三次元画像表示装置用カバーを備える三次元画像表示装置の外観図である。
【符号の説明】
【００２３】
１０  三次元画像表示装置、  １２  ベース、  １４  回転支持体、  １６  発光素子アレイ群、  １００  第１カバー、  ２００  第２カバー。
【図１】
0003112710.tif 000003